(57)【特許請求の範囲】
【請求項１】
同一の空調対象エリアに空気を供給する３台以上の空気調和機と、
前記空気調和機からの空気をそれぞれ対象エリアに供給する複数本のメインダクトと、  それぞれのメインダクトから分岐され、先端の送風口が前記エリア内に分布されている複数の送風ダクトと、
プログラム制御により、各空気調和機の運転を交互に、または循環的に停止・再起動させる制御装置とを備えており、
前記メインダクト同士は、多角形状の閉ループを構成するように連結され、
前記プログラム制御には、各空気調和機毎にそれぞれ停止タイミングが予め設定されており、
それら停止タイミングが、前記閉ループ内における対角に向かい合う離れた空気調和機同士のそれぞれに設定された停止タイミング同士を近づけ、近傍の空気調和機同士のそれぞれに設定された停止タイミング同士を遠ざけたものである空気調和機の省エネルギシステム。
【請求項２】
同一の空調対象エリアに空気を供給する３台以上の空気調和機と、
前記空気調和機からの空気をそれぞれ対象エリアに供給する複数本のメインダクトと、 それぞれのメインダクトから分岐され、先端の送風口が前記エリア内に分布されている複数の送風ダクトと、
プログラム制御により、各空気調和機の運転を循環的に停止・再起動させる制御装置とを備えており、
前記メインダクト同士は、多角形状の閉ループを構成するように連結され、
前記プログラム制御には、各空気調和機毎にそれぞれ停止タイミングが予め設定されており、
それら停止タイミングにより、閉ループに沿って、各メインダクトに連結されている空気調和機が順次停止される空気調和機の省エネルギシステム。
【請求項３】
前記同一の空調対象エリアは、多層階にまたがり、
前記複数本のメインダクトは、各階を貫通する空気供給用縦ダクトを備え、
前記メインダクト同士は、各階毎に連結されて多角形状の閉ループを構成していることを特徴としている請求項１または請求項２に記載の空気調和機の省エネルギシステム。
【請求項４】
前記メインダクトと各空気調和機との間に、メインダクトから空気調和機側への逆流を防止する逆流防止ダンパが介在されている請求項１乃至請求項３の何れか１項記載の省エネルギシステム。
【発明の詳細な説明】
【０００１】
【発明の属する技術分野】
本発明は空気調和機の省エネルギシステムに関する。さらに詳しくは、フロア面積が広いビルの空気調和を、快適性を維持しながら低コストで運転することができる空気調和機の省エネルギシステムに関する。
【０００２】
【従来の技術】
空気調和機による室温の制御方法としては、空気調和装置から室内に空気を送るファンを間欠的に運転したり、熱媒体としての冷水や温水、蒸気の流量を制御する制御弁を間欠的に開閉する方法などがある。また、送風ファンなどを間欠的に運転するほか、インバータ制御により、比例制御に近似させた段階的な制御を行う場合もある。しかしインバータ制御は省エネルギ効果があるものの、初期コストが高い。そのためＯＮ／ＯＦＦ制御による省エネルギ運転の制御方法が提案されている。
【０００３】
たとえば特開２０００−２５７９４１号公報は、従来の技術の欄で、室温を測定し、目標温度との差が±１℃程度の許容範囲になるように空気調和機をＯＮ／ＯＦＦ制御する方法や、冷水用操作弁や温水用操作弁の開度をＯＮ／ＯＦＦする制御方法を提示すると共に、さらに省エネルギ化を図るため、制御パラメータテーブルに格納されている間欠運転用パラメータに応じて、操作弁の開度を間欠的にＯＮ／ＯＦＦする運転方法を提案している。
【０００４】
また、特開平８−６１７５１号公報には、空気調和の対象となる互いに区分された複数のゾーンごとに、別個の空気調和機および送風機を配置して、各ゾーンごとに空気調和制御するゾーン制御、および空気調和機の運転中に、戻り空気の温度に応じて、空気調和機の運転を停止させる間欠運転制御により、省エネルギ化を図ることが記載されている。
【０００５】
【発明が解決しようとする課題】
フロア面積が広いビルなど、空調ゾーンが広い場合は、機械室の大きさや配置、および天井内のダクトの納まりの関係で、空気調和機を数台に分割し、それぞれ分担するエリアを定めて空気調和作用を行わせることがある。その場合、各フロアでは、図６に示すように、それぞれの空気調和機１０１からメインダクト（給気ダクト）１０３を延ばし、その途中から多数の送風ダクト１０８を分岐し、それらの送風ダクトの先端に送風口１０９を設けている。前記メインダクト１０３および送風ダクト１０８はそれぞれ天井内に配設しており、送風口１０９は天井に開口している。なお、通常は各フロアのそれぞれのエリアを担当する給気系統はそれぞれ上下ダクトで連通している（図３参照）。
【０００６】
このような複数台の空気調和機の運転制御方法には、前述のような単独の空気調和機を制御する方法をそのまま採用しうる。すなわち、各空気調和機が担当するエリアを定め、それぞれのエリアごとに別個に温度調節する方法が採られる。たとえば各系統のリターンダクトの温度を検出し、対応する空気調和機１０１のファンをＯＮ／ＯＦＦ制御したり、空気調和機自体をＯＮ／ＯＦＦ制御したり、あるいはインバータ制御でファンの回転数を変化させることにより、いわばフィードバック式の温度調節を行なうことができる。
【０００７】
しかし複数台の空気調和機を別個独立にＯＮ／ＯＦＦ制御する場合は、室内の温度変化が不規則に変動し、また一斉にＯＮ／ＯＦＦ制御する場合は温度変化が大きくなり、快適性が損なわれる。すなわち各ゾーンごとに設定温度が異なる場合は、複数台の空気調和機で別個にＯＮ／ＯＦＦ制御する方法は利点となるが、広い部屋の全体を同じレベルに制御する場合は場所によって温度が異なることは欠点となる。また、インバータ制御の場合は、イニシャルコストが増大する問題がある。本発明は、複数台の空気調和機を使用することを有効に利用し、前述のゾーン制御の考え方とは逆に、広い室内をできるだけ均一に空気調和制御することができ、しかも省エネルギ効果が高い空気調和機の省エネルギシステムを提供することを技術課題としている。
【０００８】
【課題を解決するための手段】
本発明の空気調和機の省エネルギシステムは、同一の空調対象エリアに空気を供給する３台以上の空気調和機と、前記空気調和機からの空気をそれぞれ対象エリアに供給する複数本のメインダクトと、それぞれのメインダクトから分岐され、先端の送風口が前記エリア内に分布されている複数の送風ダクトと、プログラム制御により、各空気調和機の運転を交互に、または循環的に停止・再起動させる制御装置とを備えており、前記メインダクト同士は、多角形状の閉ループを構成するように連結され、前記プログラム制御には、各空気調和機毎にそれぞれ停止タイミングが予め設定されており、それら停止タイミングが、前記閉ループ内における対角に向かい合う離れた空気調和機同士のそれぞれに設定された停止タイミング同士を近づけ、近傍の空気調和機同士のそれぞれに設定された停止タイミング同士を遠ざけたものであることを特徴としている。  また、本発明の空気調和機の省エネルギシステムの他の態様は、同一の空調対象エリアに空気を供給する３台以上の空気調和機と、前記空気調和機からの空気をそれぞれ対象エリアに供給する複数本のメインダクトと、それぞれのメインダクトから分岐され、先端の送風口が前記エリア内に分布されている複数の送風ダクトと、プログラム制御により、各空気調和機の運転を循環的に停止・再起動させる制御装置とを備えており、前記メインダクト同士は、多角形状の閉ループを構成するように連結され、前記プログラム制御には、各空気調和機毎にそれぞれ停止タイミングが予め設定されており、それら停止タイミングにより、閉ループに沿って、各メインダクトに連結されている空気調和機が順次停止されることを特徴としている。
【０００９】
このようなシステムでは、前前記同一の空調対象エリアは、多層階にまたがり、前記複数本のメインダクトは、各階を貫通する空気供給用縦ダクトを備え、前記メインダクト同士は、各階毎に連結されて多角形状の閉ループを構成しているのが好ましい。また、前記メインダクトと各空気供給源との間に、メインダクトから空気供給源側への逆流を防止する逆流防止ダンパを介在させるのが好ましい。
【００１０】
【作用および発明の効果】
本発明の省エネルギシステムおよび他の態様では、同一の空調対象エリアに対し、複数台の空気調和機から空気を送る。そして空気調和機は交互に、または循環的に（他の態様では循環的に）停止・再起動させるので、停止させている時間の分だけ、確実に省エネルギ効果がある。なお、前述のゾーン制御の場合は、複数台の空気調和機で複数のゾーンを個別に間欠運転していくが、本発明では、１個所の空調対象エリアを複数台の空気調和機により、それぞれ順番に休ませながら、共同して空調作業を行う。そして対象エリアが同じであるので、１台の空気調和機を休ませても、他の空気調和機からそのメインダクトを通じて空気が送られる。そのため、対象とする空調エリアの空調作業が常時継続されており、室内環境の快適性が維持される。
【００１１】
そして、メインダクト同士を連結しているので、稼働中の空気調和機から送られる空気がそれに接続されているメインダクトに入り、そのメインダクトから分岐している送風ダクトを通じて室内（空調対象エリア）に空気を送る。同時に、休止中の空気調和機と接続されている他のメインダクトにも空気が送られ、そのメインダクトの送風ダクトからも室内に空気が送られる。したがって空調対象エリアが広く、送風ダクトの送風口の分布が偏っている場合でも、快適性が維持される。
【００１２】
さらに複数本のメインダクト同士を閉ループ状に連結しているので、一個所からの空気供給が左右に分かれて広く均等に送風される。そのため空調対象エリアの全体について、一層均等に快適性が維持される。すなわち１本のダクトラインであれば、入口部と末端部の送風口近辺の環境に差が生じがちであるが、閉ループにすることにより、末端がなくなり、空調対象の環境の均質化が図れる。
また、前記同一の空調対象エリアは、多層階にまたがり、前記複数本のメインダクトは、各階を貫通する空気供給用縦ダクトを備え、前記メインダクト同士は、各階毎に連結されて多角形状の閉ループを構成している場合は、面積の広い同一の空調対象エリアが多層階にわたる、例えば通年冷房するデパートなどにも適用できる。
【００１３】
メインダクトと各空気供給源との間に、メインダクトから空気供給源側への逆流を防止する逆流防止ダンパを介在させる場合は、停止中の空気調和機側に空気が漏れていくのが防止される。それにより、空調作用の効率が向上する。
【００１４】
【発明の実施の形態】
つぎに図面を参照しながら本発明の省エネルギシステム（以下、単にシステムという）の実施の形態を説明する。図１ａは本発明のシステムの一実施形態を示すダクト系統図、図１ｂはそのシステムの運用パターンの一実施形態を示すタイミングチャート、図２ａ〜ｃはそれぞれそのシステムの運用パターンの他の実施形態を示すタイミングチャート、図３は本発明のシステムの他の実施形態を示す概略斜視図、図４ａ〜ｃはそれぞれ本発明の範囲外のシステムを示す概略ダクト系統図、図５ａ〜ｂはそれぞれ本発明の範囲外のシステムを示す概略ダクト系統図である。
【００１５】
図１ａに示すシステム１０は、建物１１の屋上や地下室、いずれかの階、あるいは各階の機械室などに配置された４台の空気調和機ＡＣ１〜４と、それぞれ空気調和機と連結されると共に部屋１２の天井内に配設される４本のメインダクト１３、１４、１５、１６と、それらのメインダクトから分岐される送風ダクト１７と、各送風ダクトの先端に設けられ、天井で室内に開口される送風口１８とを備えている。この実施形態ではそれぞれのメインダクトは途中で分岐してＴ字状に配設されている。そして第１〜４メインダクト１３〜１６の先端は、それぞれ隣接するメインダクトの先端と連結ダクト１９で連結されており、全体として四角形の閉ループ状に構成されている。また、第１〜４空気調和機ＡＣ１〜４と、それらと対応するメインダクト１３〜１６との間に、それぞれ逆流防止ダンパ２０が介在されている。還気用のダクトおよび空気取り入れ口は図示を省略している。空気調和機ＡＣ１〜４、メインダクト１３〜１６、送風ダクト１７、送風口１８などの要素については、従来公知のものを使用することができる。この実施形態では、空調対象である１個所の部屋１２に複数台の空気調和機およびメインダクトを使用していること、連結ダクト１９を採用していることなどが特徴である。また、逆流防止ダンパ２０としては、開閉の切り換えを電気的に制御するモータダンパなどを使用しうる。
【００１６】
図１ｂのタイミングチャートは、上記の４台の空気調和機ＡＣ１〜４の運転状態（運用パターン）を示している。この実施形態では、１サイクルＴ０の時間帯を４つの時間区分Ｔ１〜４に分割し、４台の空気調和機ＡＣ１〜４を順に１区分ずつ停止させている。ハッチングを施していない範囲Ｓが停止させている区分であり、ハッチングを施している範囲Ｗが可動している区分である。たとえば第１の区分Ｔ１では、第１空気調和機ＡＣ１を停止させ、他の第２〜４空気調和機ＡＣ２〜４は稼働させている。第２区分では第１空気調和機ＡＣ１を再稼働させると共に、第２空気調和機ＡＣ２を停止させ、他の空気調和機ＡＣ３〜４の稼働は継続させている。このように、この実施形態では、いわばプログラム制御により、常時１台の空気調和機を強制的に停止させているので、実質的には全体を稼働させる場合の７５％の電力だけが消費される。すなわち空気調和機の冷房、暖房あるいは空気清浄作用などの空調作用に要するエネルギがその分だけ省かれる。そして停止させる空気調和機が順に循環するので、図１ａの部屋１２の一部の環境が極端に低下することがない。それによって省エネルギと快適な環境の維持とを両立させることができる。
【００１７】
また、この実施形態では、メインダクト１３〜１６同士を連結ダクト１９で連結して閉ループ状になっているので、たとえば第１空気調和機ＡＣが停止している間でも、第２メインダクト１４および第４メインダクト１６から連結ダクト１９を通じて第１メインダクト１３内に空気が流れてくる。そのため、第１メインダクト１３に連結されている送風ダクト１７および送風口１８からも、調和空気が室内に送られる。したがって第１メインダクト１３の下側にいる人たちも、快適な状態が維持される。すなわちフロアが広い場合でも、快適さのレベルが平準化される。
【００１８】
さらにこの実施形態では、各空気調和機ＡＣ１〜４の停止と、それらに連結されている逆流防止ダンパ２０の閉止とが連動するように制御している。それにより、調和済みの空気が停止中の空気調和機側に逆流することがない。このように逆流を防止することにより、無駄なエネルギの消耗を避けることができる。なお、図１ａでは、連結ダクト１９と各メインダクト１３〜１６とを別個のものとして説明している。これは既設の設備を改修する場合を念頭に置いたものであり、新規に設置する場合は、もちろん１本の連続したダクトとすることができる。また図１ａでは、メインダクトが建物の外壁を貫通するように示しているが、実際は天井あるいは床を貫通して、屋上や地下室、あるいは他の階に設置される空気調和機まで達する。
【００１９】
図１ｂに示すタイミングチャートに合わせて空気調和機ＡＣ１〜４の運転の起動・停止を行わせるには、たとえば中央監視室に設置したプログラマブルコントローラやタイマなどの制御機器あるいはコンピュータを用いる。なお、監視室に設けた手動でＯＮ／ＯＦＦを切り替えるスイッチ類で行うこともできる。それらは請求項１における制御装置である。
【００２０】
図１ｂは説明のために、１台の空気調和機の停止している範囲Ｓを１区分とした典型的な例を示しているが、空気調和機の能力が高い場合あるいは季節的な要因によって、図２ａに示すように、停止時間Ｔａを区分Ｔ１を超えて継続させたり、図２ｂのように区分Ｔ１に満たない時間で稼働を再開させることができる。たとえば初夏や夏の終わり、あるいは夏でも夕方には、周囲の温度が低くなるので、冷房作用を低下させてもよい。その場合は図２ａのように、停止している時間Ｔａを延ばし、稼働時間Ｔｂを短くすることにより、一層エネルギを節約する。また、とくに盛夏には、図２ｂのように停止時間Ｔａを短くし、稼働時間Ｔｂを長くする。それにより空調対象エリアの快適性を維持しうる。このように停止時間Ｔａと稼働時間Ｔｂの比率は連続的な数値をとることができるので、複数台の空気調和機を順に運転することにより、ＯＮ／ＯＦＦ制御であっても、同一の空調対象エリア内に対する空調能力を連続的に変化させることができる。
【００２１】
図１ｂの標準的なタイミングチャートを採用するか、あるいは図２ａや図２ｂの低稼働率あるいは高稼働率のタイミングチャートを採用するかは、季節や時間帯によってあらかじめ設定しておくのが好ましい。さらにコンピュータを用いた学習機能を適用することによって、システムを設置している地域的に特有の温度変化に対応させるのが好ましい。なお、図２ａの場合は一時的に２台の空気調和機が停止し、図２ｂの場合は一時的にすべての空気調和機が稼働するが、それらも請求項１における「循環的に停止・稼働させる」に含まれる。
【００２２】
図２ｃは４台の空気調和機ＡＣ１〜４を第１空気調和機ＡＣ１と第４空気調和機ＡＣ４からなる第１グループと、第２空気調和機ＡＣ２と第３空気調和機ＡＣ３とからなる第２グループに分け、第１グループと第２グループとを交互に停止・稼働させるタイミングチャートを示している。この場合は実効稼働率が５０％で、さらに省エネルギで運転することができる。ただしこの場合でも、図２ａ、図２ｂの場合と同様に、各グループの停止時間を区分を超えて延長したり、短縮することができる。
【００２３】
図２ｃの運用パターンにおいて第１空気調和機ＡＣ１と第３空気調和機ＡＣ３とで第１グループを構成し、第２空気調和機ＡＣ２と第４空気調和機ＡＣ４とで第２グループを構成したのは、図１ａのように部屋１２が横に長い場合は、たとえば左側の第１空気調和機と第３空気調和機を同時に停止すると、左側のエリアの快適性が損なわれるからである。そしてたとえば対角同士を同じグループとすることにより、全体の快適性を高めることができる。同じ意味で、図１ｂのチャートにおける停止させる順番も、第１、第２、第３、第４の空気調和機の順のように、文字のＺを描く順番で停止させて片側を連続して停止させないのが好ましい。ただし第１、第２、第４、第３の順のように、いわば円を描くように停止させていくようにしてもよい。
【００２４】
つぎに図３を参照して、具体的なシステムの実施形態を説明する。図３は図１のシステム１０を３階建てのビル、たとえば通年冷房するデパートなどに適用する場合の全体の構成を立体的に示している。各空気調和機ＡＣ１〜４は建物の屋上に設置されている。空気調和機内の送風機には、送風量を変化させるために（吹出量調整）、スクロールダンパを設置している。各空気調和機から１本ずつ、下方向に各階を貫通する空気供給用縦ダクト２１〜２４が延びている。そしてそれらの縦ダクト２１〜２４の途中から各フロアのメインダクト１３〜１６が分岐し、逆流防止ダンパ２０を介してループ状のダクトライン２５〜２７に連結されている。逆流防止ダンパ２０は空調機停止時には閉状態となる。また、各空気調和機ＡＣ１〜４の還気部から下方に還気用縦ダクト２９〜３２が延びており、途中から各フロアの還気口３３に達している。還気ダクト２９〜３２の上端近辺には、還気送風機３４が介在されている。なお、逆流防止ダンパ２０として、ダンパ開度が連続的に変化し、風量がその開度と比例する比例ダンパを用いてもよい。その場合は、温度に基づいて風量を制御する場合などに利用することができる。
【００２５】
前記フロアには、室温を検出する温度センサＴが設けられている。それらの温度センサＴは、許容温度の上限値や下限値を定めておき、それを超えた場合に検出して、前述の複数台の空気調和機のタイミングチャートを高稼働率のものに変更して快適性を維持するために使用する。すなわち前述の運用パターンに基づくプログラム制御では、フィードバックをせずに強制的にＯＮ／ＯＦＦ動作をさせるため、エネルギの消費が少ない利点はあるが、外気温度の大きい変動に対して追従しない。そのため、室内の温度を検出して、所定の上限および下限を許容範囲を超えた場合に稼働率を変動させたり、一時的に停止時間を短くするなど、快適性を維持するべく運転モードを変えるようにしている。さらにそれらの温度センサＴは、学習制御のためのデータを採るためなどにも使用しうる。
【００２６】
各空気調和機ＡＣ１〜４には、前記間欠運転を制御するためのコントローラ４０が連結されている。コントローラは温度センサＴからの取得データを記憶することができるものであり、たとえば年間の室温の温度変化のデータを記憶させる。システムを設置した初年度はデータがないので、初期設定の運用パターンに従って運転し、次年度からは前年度のデータに基づいて、後述する運用パターンから自動的に選択させて、それに基づいて運転させる。
【００２７】
前記実施形態では４台の空気調和機を採用しているが、空気調和機の台数は３台、また５台以上でもよい。図４ａは２台の場合のシステムのダクト系統の実施形態を示している。このダクト系統５０では、ダクトライン５１を矩形状の閉ループに構成しており、空気調和機ＡＣ１、ＡＣ２は対角位置に配置している。このシステムの運転のタイミングは、たとえば図２ｃのように２台の空気調和機ＡＣ１、ＡＣ２を交互に停止させ、また稼働させる。その場合の全体の稼働率は５０％である。このシステムにおいても、図２ａや図２ｂの場合と同じように、停止時間を延長させて稼働率を５０％以下にすることができ、また停止時間を短縮して稼働率を５０％以上にすることもできる。ただし空気調和機が２台であるので、通常は５０％以上にする。
【００２８】
図４ｂのシステムは、細長い部屋１２に直線状のダクトライン５３を設け、両端に空調機ＡＣ１、ＡＣ２を連結したダクト系統を採用している。すなわちこのように幅が狭い部屋１２では、１本のメインダクトから送風しても、空調後の空気が充分に行き渡る。そのため、広い範囲をカバーする閉ループ状にダクトラインを構成する必要がなく、直線状のダクトラインでも充分である。なおこのシステムでも、図４ａのシステムと同様に交互に空調機ＡＣ１、ＡＣ２を停止させればよい。
【００２９】
図４ｃは、比較的狭い部屋１２に各空調機ＡＣ１、ＡＣ２のメインダクト１３、１４を平行に配置したダクト系統を示している。既設の空調設備の場合は、このようなダクトライン設計もある。このようにメインダクト１３、１４同士が接近して延びている場合は、両方のメインダクト１３、１４同士を接続したり、閉ループ状にする必要はなく、そのままのダクト系統を利用することもできる。その場合は各空調機ＡＣ１、ＡＣ２の制御装置だけを改造すればよい。
【００３０】
図５ａのシステムでは、２台の空調機ＡＣ１、ＡＣ２同士が比較的近い位置にあり、それらの送風部同士を直接１本の連結ダクト１９で連結している。このシステムでは、片方の空調機が停止している場合でも、他方の空調機からの空気が両方の給気ダクトを通じて部屋１２に送られる。また図５ｂのシステムでは、メインダクト同士ではなく、送風ダクト１７同士が連結され、送風口１８は共用にしている。これらのシステムも、前述のシステムと同様の省エネルギ効果があり、同程度の快適性を維持しうる。
【００３１】
なお、図１ａでは、１本の送風ダクト１７に１個所の送風口１８を設けているが、広い部屋の場合、実際には送風ダクト１７をさらに分岐し、それぞれの分岐したダクトに送風口１８を設ける。
【図面の簡単な説明】
【図１】  図１ａは本発明のシステムの一実施形態を示すダクト系統図、図１ｂはそのシステムの運用パターンの一実施形態を示すタイミングチャートである。
【図２】  図２ａ〜ｃはそれぞれそのシステムの運用パターンの他の実施形態を示すタイミングチャートである。
【図３】  本発明のシステムの他の実施形態を示す概略斜視図である。
【図４】図４ａ〜ｃはそれぞれ本発明の範囲外のシステムを示す概略ダクト系統図である。
【図５】図５ａ〜ｂはそれぞれ本発明の範囲外のシステムを示す概略ダクト系統図である。
【図６】  従来の空調システムの一例を示すダクト系統図である。
【符号の説明】
１０  省エネルギシステム
１１  建物
１２  部屋
ＡＣ１、ＡＣ２、ＡＣ３、ＡＣ４  空気調和機（空調機）
１３、１４、１５、１６  メインダクト
１７  送風ダクト
１８  送風口
１９  連結ダクト
２０  逆流防止ダンパ
２１、２２、２３、２４  給気用縦ダクト
２９、３０、３１、３２  還気用縦ダクト
３３  還気口
３４  還気送風機
Ｔ  温度センサ
４０  コントローラ
５０  ダクト系統
５１、５３  ダクトライン
【図１】
0004643067.tif 000002
【図２】
0004643067.tif 000003
【図３】
0004643067.tif 000004
【図４】
0004643067.tif 000005
【図５】
0004643067.tif 000006
【図６】
0004643067.tif 000007